【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
撮像手段により撮像される複数の画像について主被写体領域と前記主被写体領域とは異なる背景領域を特定する特定手段と、
前記複数の画像の前記主被写体領域を位置合わせし、
前記背景領域に所定のぼかし処理を加えた合成画像を生成する合成手段と、前記複数の画像について、前記背景領域の画像または前記撮像手段の振れの情報に基づいて、前記複数の画像間での前記背景領域の移動量を検出する検出手段と、前記検出手段により検出される前記複数の画像間での前記背景領域の移動量に基づき前記ぼかし処理におけるぼかし量を制御する制御手段と、を有することを特徴とする画像処理装置。
【請求項２】
前記合成画像における前記背景領域の流し量を設定する設定手段を有し、
前記合成手段は、前記設定手段によって設定された流し量に基づいて、合成する画像数を制御することを特徴とする請求項１に記載の画像処理装置。
【請求項３】
前記流し量とは前記合成画像の相当するシャッター速度に対応する情報であり、
前記合成手段は、合成に用いる画像のシャッター速度の合計が、前記設定手段により設定されるシャッター速度となるように、合成する画像数を制御することを特徴とする請求項２に記載の画像処理装置。
【請求項４】
前記流し量とは、前記合成画像における前記背景領域の流れる幅に対応する情報であり、
前記合成手段は、前記背景領域の移動量と前記流し量に基づいて、合成する画像数を制御することを特徴とする請求項２に記載の画像処理装置。
【請求項５】
前記合成画像における前記背景領域の流し量を設定する設定手段を有し、
前記合成手段は、前記複数の画像について画像間の前記背景領域の移動量に基づいたぼかし量でそれぞれぼかし処理を行ったものを合成し、前記制御手段は、前記検出手段によって検出された背景領域の移動量及び前記設定手段によって設定された流し量に基づいて、前記複数の画像における前記背景領域に加えるぼかし量を制御することを特徴とする請求項１に記載の画像処理装置。
【請求項６】
前記制御手段は、前記背景領域の移動量に基づいて、前記複数の画像を合成した際に対応する前記背景領域の間が補間されるようなぼかし量で、前記ぼかし処理を行うことを特徴とする請求項１乃至５のいずれか１つに記載の画像処理装置。
【請求項７】
前記制御手段は、前記ぼかし量に対応するタップ数のローパスフィルタによって前記ぼかし処理を行うことを特徴とする請求項１乃至６のいずれか１つに記載の画像処理装置。
【請求項８】
前記制御手段は、前記合成画像の領域ごとにタップ内の係数を変化させながら前記ローパスフィルタをかけることを特徴とする請求項７に記載の画像処理装置。
【請求項９】
前記合成手段は、
前記複数の画像を前記被写体領域を基準として位置合わせをして合成した第１の合成画像と、前記第１の合成画像の前記背景領域をぼかすぼかし処理を行った第２の合成画像を生成し、
前記第１の合成画像と前記第２の合成画像を前記被写体領域に基づいて合成することを特徴とする請求項１乃至８のいずれか１つに記載の画像処理装置。
【請求項１０】
前記合成手段は、
前記被写体領域に対応する領域には前記第１の合成画像を主として用い、前記背景領域に対応する領域には前記第２の合成画像を主として用いて第３の合成画像を生成することを特徴とする請求項８に記載の画像処理装置。
【請求項１１】
前記合成手段は、前記複数の画像ごとに設定されたぼかし量でぼかし処理を行った後、当該複数の画像を合成して前記合成画像を生成することを特徴とする請求項１乃至８のいずれか１つに記載の画像処理装置。
【請求項１２】
前記検出手段は、前記複数の画像間で移動ベクトルを算出し、当該移動ベクトルに基づいて前記背景領域の移動量を検出することを特徴とする請求項１乃至１１のいずれか１つに記載の画像処理装置。
【請求項１３】
前記検出手段は、前記撮像手段の振れの情報に基づいて前記背景領域の移動量を検出することを特徴とする請求項１乃至１２のいずれか１つに記載の画像処理装置。
【請求項１４】
前記特定手段は、前記複数の画像間で移動ベクトルを算出し、当該移動ベクトルに基づいて前記被写体領域を特定することを特徴とする請求項１乃至１３のいずれか１つに記載の画像処理装置。
【請求項１５】
前記特定手段は、前記撮像手段の振れの情報に基づいて前記被写体領域を特定することを特徴とする請求項１乃至１３のいずれか１つに記載の画像処理装置。
【請求項１６】
前記複数の画像を表示媒体に表示する表示手段と、
前記表示媒体へのタッチ操作を検知する検知手段と、を有し、
前記制御手段は、前記表示媒体に表示された画像へのタッチ操作を検知して、前記合成画像における前記背景領域の流し量を設定することを特徴とする請求項１乃至１５のいずれか１つに記載の画像処理装置。
【請求項１７】
撮像手段により撮像される複数の画像について主被写体領域と前記主被写体領域とは異なる背景領域を特定する特定ステップと、
前記複数の画像の前記主被写体領域を位置合わせし、前記背景領域に所定のぼかし処理を加えた合成画像を生成する合成ステップと、
前記複数の画像について、前記背景領域の画像または前記撮像手段の振れの情報に基づいて、前記複数の画像間での前記背景領域の移動量を検出する検出ステップと、
前記検出ステップにより検出される前記複数の画像間での前記背景領域の移動量に基づき前記ぼかし処理におけるぼかし量を制御する制御ステップと、を有することを特徴とする画像処理方法。
【請求項１８】
請求項１７に記載の画像処理方法のステップが記述された、コンピュータで実行可能なプログラム。
【請求項１９】
コンピュータに、請求項１７に記載の画像処理方法の各ステップを実行させるためのプログラムが記憶されたコンピュータが読み取り可能な記憶媒体。
【請求項２０】
撮像手段により撮像される複数の画像について被写体領域を特定する特定手段と、
前記複数の画像における前記被写体領域に所定のぼかし処理を加えた合成画像を生成する合成手段と、
前記複数の画像について、前記被写体領域の画像または前記撮像手段の振れの情報に基づいて、前記複数の画像間での前記被写体領域の移動量を検出する検出手段と、
前記検出手段により検出される前記複数の画像間での前記被写体領域の移動量に基づき前記ぼかし処理におけるぼかし量を制御する制御手段と、を有することを特徴とする画像処理装置。
【請求項２１】
前記合成画像における前記被写体領域の流し量を設定する設定手段を有し、
前記合成手段は、前記設定手段によって設定された流し量に基づいて、合成する画像数を制御することを特徴とする請求項２０に記載の画像処理装置。
【請求項２２】
前記流し量とは前記合成画像の相当するシャッター速度に対応する情報であり、
前記合成手段は、合成に用いる画像のシャッター速度の合計が、前記設定手段により設定されるシャッター速度となるように、合成する画像数を制御することを特徴とする請求項２０に記載の画像処理装置。
【請求項２３】
前記合成画像における前記被写体領域の流し量を設定する設定手段を有し、
前記合成手段は、前記複数の画像について画像間の前記被写体領域の移動量に基づいたぼかし量でそれぞれぼかし処理を行ったものを合成し、
前記制御手段は、前記検出手段によって検出された被写体領域の移動量及び前記設定手段によって設定された流し量に基づいて、前記複数の画像における前記被写体領域に加えるぼかし量を制御することを特徴とする請求項２０に記載の画像処理装置。
【請求項２４】
前記制御手段は、前記被写体領域の移動量に基づいて、前記複数の画像を合成した際に対応する前記被写体領域の間が補間されるようなぼかし量で、前記ぼかし処理を行うことを特徴とする請求項２０乃至２３のいずれか１つに記載の画像処理装置。
【請求項２５】
前記制御手段は、前記ぼかし量に対応するタップ数のローパスフィルタによって前記ぼかし処理を行うことを特徴とする請求項２０乃至２４のいずれか１つに記載の画像処理装置。
【請求項２６】
前記制御手段は、前記合成画像の領域ごとにタップ内の係数を変化させながら前記ローパスフィルタをかけることを特徴とする請求項２５に記載の画像処理装置。